(57)【要約】【課題】ポータブル端末のＴＶ放送の予約録画を、録画予約された番組の録画が途中で終了することのない形態で行われるように支援する「車載装置」を提供する。【解決手段】車載システム１において接続されたポータブル端末２に登録されている録画予約を読み出し、読み出した録画予約のうちの、録画終了時刻が車載システム１が備えるナビゲーション装置１０４が算出している目的地到着予想時刻より前の予約のみを代行予約として登録する。そして、車載システム１において、登録した代行予約の録画開始時刻から録画終了時刻まで録画指定チャネルのＴＶ放送の録画を、車載システム１が備えるＴＶチューナ１０１を用いて行い、当該録画が完了したならば、録画が完了した動画データがポータブル端末２に転送する。ポータブル端末２は転送された動画データを記憶部２０５に格納する。【選択図】図４
2009207038.tif 000002
【特許請求の範囲】
【請求項１】
ＴＶ放送受信機を備えると共にユーザから設定された録画予約に従って前記ＴＶ放送受信機を用いたＴＶ放送の予約録画を行うポータブル端末を接続可能な車載装置であって、
ＴＶ放送を受信するＴＶチューナと、
ユーザに対する目的地までの経路案内を行うと共に、推定される前記目的地の到着時刻を目的地到着予測時刻として算出するナビゲーション手段と、
接続されたポータブル端末に設定されている録画予約のうちの、録画終了時刻が前記目的地到着予想時刻以前である録画予約を取得し、取得した録画予約に従った、ＴＶ放送の録画を前記ＴＶチューナを用いて行う連動録画手段と、
前記連動録画手段が録画予約に従った録画終了時刻までの録画を完了したＴＶ放送の録画データを、前記ポータブル端末に転送して、当該ポータブル端末に格納する転送手段とを有することを特徴とする車載装置。
【請求項２】
ＴＶ放送受信機を備えると共にユーザから設定された録画予約に従って前記ＴＶ放送受信機を用いたＴＶ放送の予約録画を行うポータブル端末を接続可能な車載装置であって、
ＴＶ放送を受信するＴＶチューナと、
接続されたポータブル端末に設定されている録画予約を取得し、前記ポータブル端末の接続が解除されるまで、取得した録画予約に従った、ＴＶ放送の録画を前記ＴＶチューナを用いて行う連動録画手段と、
前記連動録画手段が録画予約に従った録画終了時刻までの録画を完了したＴＶ放送の録画データを、前記ポータブル端末に転送して、当該ポータブル端末に格納する転送手段とを有することを特徴とする車載装置。
【請求項３】
ＴＶ放送受信機を備えると共にユーザから設定された録画予約に従って前記ＴＶ放送受信機を用いたＴＶ放送の予約録画を行うポータブル端末を接続可能な車載装置であって、
ＴＶ放送を受信するＴＶチューナと、
接続されたポータブル端末に設定されている録画予約を取得し、取得した録画予約のうちの録画時間帯が重複している録画予約を識別し、録画時間帯が重複している録画予約のうちのいずれか一つの録画予約に従った、ＴＶ放送の録画を前記ＴＶチューナを用いて行う連動録画手段と、
前記連動録画手段が録画予約に従った録画終了時刻までの録画を完了したＴＶ放送の録画データを、前記ポータブル端末に転送して、当該ポータブル端末に格納する転送手段とを有することを特徴とする車載装置。
【請求項４】
ＴＶ放送受信機を備えると共にユーザから設定された録画予約に従って前記ＴＶ放送受信機を用いたＴＶ放送の予約録画を行うポータブル端末を接続可能な車載装置において、車載装置が備えるＴＶ放送を受信するＴＶチューナを用いて、ポータブル端末の録画予約に従った録画を支援する録画支援方法であって、
ユーザに対する目的地までの経路案内を行うと共に、推定される前記目的地の到着時刻を目的地到着予測時刻として算出するステップと、
接続されたポータブル端末に設定されている録画予約のうちの、録画終了時刻が前記目的地到着予想時刻以前である録画予約を取得し、取得した録画予約に従った、ＴＶ放送の録画を前記ＴＶチューナを用いて行うステップと、
録画予約に従った録画終了時刻までの録画を完了したＴＶ放送の録画データを、前記ポータブル端末に転送して、当該ポータブル端末に格納するステップとを有することを特徴とする車載装置における録画支援方法。
【請求項５】
ＴＶ放送受信機を備えると共にユーザから設定された録画予約に従って前記ＴＶ放送受信機を用いたＴＶ放送の予約録画を行うポータブル端末を接続可能な車載装置において、車載装置が備えるＴＶ放送を受信するＴＶチューナを用いて、ポータブル端末の録画予約に従った録画を支援する録画支援方法であって、
接続されたポータブル端末に設定されている録画予約を取得し、前記ポータブル端末の接続が解除されるまで、取得した録画予約に従った、ＴＶ放送の録画を前記ＴＶチューナを用いて行うステップと、
録画予約に従った録画終了時刻までの録画を完了したＴＶ放送の録画データを、前記ポータブル端末に転送して、当該ポータブル端末に格納するステップとを有することを特徴とする車載装置における録画支援方法。
【請求項６】
ＴＶ放送受信機を備えると共にユーザから設定された録画予約に従って前記ＴＶ放送受信機を用いたＴＶ放送の予約録画を行うポータブル端末を接続可能な車載装置において、車載装置が備えるＴＶ放送を受信するＴＶチューナを用いて、ポータブル端末の録画予約に従った録画を支援する録画支援方法であって、
接続されたポータブル端末に設定されている録画予約を取得し、取得した録画予約のうちの録画時間帯が重複している録画予約を識別し、録画時間帯が重複している録画予約のうちのいずれか一つの録画予約に従った、ＴＶ放送の録画を前記ＴＶチューナを用いて行うステップと、
録画予約に従った録画終了時刻までの録画を完了したＴＶ放送の録画データを、前記ポータブル端末に転送して、当該ポータブル端末に格納するステップとを有することを特徴とする車載装置における録画支援方法。
【発明の詳細な説明】
【技術分野】
【０００１】
本発明は、ＴＶ放送の予約録画機能を備えたポータブル端末を接続可能な車載装置において、ポータブル端末のＴＶ放送の予約録画の実行を支援する技術に関するものである。
【背景技術】
【０００２】
ポータブル端末のＴＶ放送の予約録画の実行を支援する技術としては、ポータブル端末よりも高品質なＴＶ放送の受信機能を備えたパーソナルコンピュータにおいて、ポータブル端末が接続されているときに、当該ポータブル端末のＴＶ放送の録画予約時間帯に、録画予約された放送チャネルのＴＶ放送を受信して、受信したＴＶ放送の動画データをポータブル端末に転送し、ポータブル端末において転送された動画データを記録する技術が知られている（たとえば、特許文献１）。
【特許文献１】特開2006-13707号公報
【発明の開示】
【発明が解決しようとする課題】
【０００３】
前記特許文献１記載の技術によれば、ポータブル端末のＴＶ放送の録画予約時間帯中に、パーソナルコンピュータからポータブル端末が取り外されてしまうと、当該録画予約された番組を途中までしか録画できなくなってしまうという問題がある。
そこで、本発明は、ＴＶ放送の予約録画機能を備えたポータブル端末を接続可能な車載装置において、ポータブル端末のＴＶ放送の予約録画を、録画予約された番組の録画が途中で終了することのない形態で行われるように支援することを課題とする。
【課題を解決するための手段】
【０００４】
前記課題達成のために、本発明は、ＴＶ放送受信機を備えると共にユーザから設定された録画予約に従って前記ＴＶ放送受信機を用いたＴＶ放送の予約録画を行うポータブル端末を接続可能な車載装置に、ＴＶ放送を受信するＴＶチューナと、ユーザに対する目的地までの経路案内を行うと共に、推定される前記目的地の到着時刻を目的地到着予測時刻として算出するナビゲーション手段と、接続されたポータブル端末に設定されている録画予約のうちの、録画終了時刻が前記目的地到着予想時刻以前である録画予約を取得し、取得した録画予約に従った、ＴＶ放送の録画を前記ＴＶチューナを用いて行う連動録画手段と、前記連動録画手段が録画予約に従った録画終了時刻までの録画を完了したＴＶ放送の録画データを、前記ポータブル端末に転送して、当該ポータブル端末に格納する転送手段とを備えたものである。
【０００５】
このような車載装置によれば、ポータブル端末で設定された録画予約のうち、目的地に到着しポータブル端末の接続が解除されるまでに録画の完了が見込まれるものの録画のみを、車載装置において車載装置のＴＶチューナを用いて行うと共に、録画終了時刻まで完全に録画が完了した録画データのみをポータブル端末に転送して格納することができる。また、車載装置のＴＶチューナは、ポータブル端末が備えるＴＶ受信機に比べ、高速移動時にも安定してＴＶ放送を受信することができるように構成されることが一般的である。
【０００６】
よって、このような車載装置によれば、ポータブル端末のＴＶ放送の録画予約に従った録画が、録画予約された番組の録画が途中で終了することのない形態で、良好に行われるように、効率的に支援することができる。
また、前記課題達成のために、本発明は、ＴＶ放送受信機を備えると共にユーザから設定された録画予約に従って前記ＴＶ放送受信機を用いたＴＶ放送の予約録画を行うポータブル端末を接続可能な車載装置に、ＴＶ放送を受信するＴＶチューナと、接続されたポータブル端末に設定されている録画予約を取得し、前記ポータブル端末の接続が解除されるまで、取得した録画予約に従った、ＴＶ放送の録画を前記ＴＶチューナを用いて行う連動録画手段と、前記連動録画手段が録画予約に従った録画終了時刻までの録画を完了したＴＶ放送の録画データを、前記ポータブル端末に転送して、当該ポータブル端末に格納する転送手段とを備えたものである。
【０００７】
このような車載装置よれば、ポータブル端末で設定された録画予約の録画を車載装置において車載装置のＴＶチューナを用いて行うと共に、ポータブル端末の接続解除までに録画終了時刻まで録画が完了した録画データのみをポータブル端末に転送して格納することができる。よって、このような車載装置によっても、ポータブル端末のＴＶ放送の録画予約に従った録画が、録画予約された番組の録画が途中で終了することのない形態で、良好に行われるように支援することができる。
【０００８】
また、本発明は、併せて、ＴＶ放送受信機を備えると共にユーザから設定された録画予約に従って前記ＴＶ放送受信機を用いたＴＶ放送の予約録画を行うポータブル端末を接続可能な車載装置であって、ＴＶ放送を受信するＴＶチューナと、接続されたポータブル端末に設定されている録画予約を取得し、取得した録画予約のうちの録画時間帯が重複している録画予約を識別し、録画時間帯が重複している録画予約のうちのいずれか一つの録画予約に従った、ＴＶ放送の録画を前記ＴＶチューナを用いて行う連動録画手段と、前記連動録画手段が録画予約に従った録画終了時刻までの録画を完了したＴＶ放送の録画データを、前記ポータブル端末に転送して、当該ポータブル端末に格納する転送手段とを備えた車載装置を提供する。
【０００９】
このような車載装置によれば、ポータブル端末に録画時間帯が重複している録画予約が設定されている場合には、その一部の録画予約に従った録画を車載装置において代行して行うので、このような録画時間帯が重複している録画予約についても、できるだけ各録画予約に従った録画が行えるようになる。
【発明の効果】
【００１０】
以上のように、本発明によれば、ＴＶ放送の予約録画機能を備えたポータブル端末を接続可能な車載装置において、ポータブル端末のＴＶ放送の予約録画を、録画予約された番組の録画が途中で終了することのない形態で行われるように支援することができる。
【発明を実施するための最良の形態】
【００１１】
以下、本発明の実施形態をとり説明する。
図１に、本実施形態に係る車載システムの構成を示す。
図示するように、車載システム１は、自動車に搭載され、移動電話機などのポータブル端末２を接続可能な装置であり、図示するように、ＴＶチューナ１０１、ＴＶ録画再生処理部１０２、代行予約テーブル１０３、ナビゲーション装置１０４、ＨＤＤなどの記憶装置１０５、表示装置１０６、スピーカ１０７、入力装置１０８、表示装置１０６やスピーカ１０７や入力装置１０８との間の入出力を制御する入出力制御部１０９、制御部１１０、ポータブル端末２と無線もしくは有線インタフェースで接続する端末インタフェース１１１とを備えている。
【００１２】
ここで、ナビゲーション装置１０４は、進行方位センサや車速センサなどの自律航法センサやＧＰＳ受信機を備えており、自律航法センサやＧＰＳ受信機の出力より推定される自動車の位置と、記憶装置１０５に記憶されている地図データとのマップマッチングによって現在位置を算出し、算出した現在位置を地図データが表す地図上で表した画像を、表示装置１０６に表示する案内画像として生成する。また、ナビゲーション装置１０４は、設定された目的地までの経路を探索し、探索した経路を前記案内画像中に描画することによりユーザを目的地まで経路誘導する処理や、探索した経路より推定される目的地への到着時刻を目的地到着予想時刻として算出する処理などを行う。
【００１３】
ＴＶチューナ１０１は、たとえば、マルチアンテナ、マルチチューナ構成をとるＴＶチューナ１０１であって、自動車の高速移動中も高品質かつ安定的にＴＶ放送を受信することができる。
次に、ＴＶ録画再生処理部１０２は、ＴＶチューナ１０１で受信したＴＶ放送の動画データの記憶装置１０５への記憶や、記憶装置１０５に記憶されている動画データの再生を行う。
そして、制御部１１０は、入出力制御部１０９、入力装置１０８を介して受け取ったユーザ操作に応じて、ナビゲーション装置１０４に目的地を設定したり、ＴＶチューナ１０１の受信チャネルを制御したり、ＴＶ録画再生処理部１０２における動画データの再生動作を制御する処理を行う。また、制御部１１０は、ユーザ操作に応じて、入出力制御部１０９の、ナビゲーション装置１０４が生成した案内画像や、ＴＶチューナ１０１が受信したＴＶ放送の動画や、ＴＶ録画再生処理部１０２が再生した動画の、表示装置１０６やスピーカ１０７への出力形態を制御する。
【００１４】
次に、ポータブル端末２は、図示するように、内蔵ＴＶチューナ２０１、録画再生部２０２、予約テーブル２０３、移動電話網を用いた電話機能を提供する電話機能部２０４、ＨＤＤやフラッシュメモリなどの記憶部２０５、表示部２０６、内蔵スピーカ２０７、入力部２０８、マイク２０９、表示部２０６や内蔵スピーカ２０７や入力部２０８やマイク２０９との間の入出力を制御する入出力処理部２１０、端末制御部２１１、車載システム１に無線もしくは有線インタフェースで接続する外部インタフェース２１２とを備えている。
【００１５】
ここで、内蔵ＴＶチューナ２０１は、たとえば、車載システム１のＴＶチューナ１０１よりも簡易な構成を備え、高速移動時には安定的にＴＶ放送を受信することができないものである。
次に、録画再生部２０２は、内蔵ＴＶチューナ２０１で受信したＴＶ放送の動画データの記憶部２０５への記憶や、記憶部２０５に記憶されている動画データの再生を行う。
そして、端末制御部２１１は、入出力処理部２１０、入力部２０８を介して受け取ったユーザ操作に応じて、内蔵ＴＶチューナ２０１の受信チャネルを制御したり、録画再生部２０２における動画データの再生動作を制御したり、電話機能部２０４による電話通信を制御する処理を行う。また、端末制御部２１１は、ユーザ操作に応じて、入出力処理部２１０の、内蔵ＴＶチューナ２０１が受信したＴＶ放送の動画や、録画再生部２０２が再生した動画や、電話機能部２０４が出力する電話通信で受信した音声の、表示装置１０６やスピーカ１０７への出力形態や、マイク２０９から入力する電話通信で送信する音声の電話機能部２０４への出力を制御する。
【００１６】
また、このポータブル端末２において、端末制御部２１１は、ユーザから、入出力制御装置、入力部２０８を介して、ユーザからＴＶ放送の録画予約を受け付け、受け付けた各録画予約を予約データとして予約テーブル２０３に格納する。ここで、図２ａに示すように、予約データは、録画予約毎に設けられ、各予約データには、録画予約の識別子となる予約番号と、予約された録画の時間帯と、当該時間帯に録画するＴＶ放送チャネルを表すチャネルとが登録される。
【００１７】
そして、録画再生部２０２は、予約テーブル２０３に登録されている、いずれかの予約データに登録された時間帯の開始時刻となったならば、当該予約データを録画制御データとした上で、当該予約データを予約テーブル２０３から削除し、当該録画制御データの時間帯の終了時刻まで、当該録画制御データに登録されたチャネルが表すＴＶ放送チャネルを内蔵ＴＶチューナ２０１に受信させると共に、内蔵ＴＶチューナ２０１で受信したＴＶ放送の動画データを、適当な管理データ（録画時間帯や録画チャネル等のデータ）を付加した形態で記憶部２０５に記録し、記録が完了したならば、当該録画制御データを破棄する処理を行う。
【００１８】
さて、このような構成において車載システム１の制御部１１０は、図３に示す、録画代行処理を行う。なお、この録画代行処理は、車載システム１の起動時に起動される。
図示するように、この録画代行処理において制御部１１０は、端末インタフェース１１１へのポータブル端末２の接続の有無を監視し（ステップ３０２）、ポータブル端末２が接続されているか、もしくは、ポータブル端末２が接続されたならば、さらに、ナビゲーション装置１０４において、現在、目的地までの経路が設定されていうかどうか、すなわち、ナビゲーション装置１０４において経路誘導中であるかどうかを調べ（ステップ３０４）、経路誘導中でなければステップ３０２の監視に戻る。
【００１９】
一方、経路誘導中であれば、ナビゲーション装置１０４が推定している目的地到着予想時刻を取得する（ステップ３０６）。
そして、ポータブル端末２の端末制御部２１１に、端末インタフェース１１１を介して予約データ要求を発行することにより、ポータブル端末２の予約テーブル２０３に登録されている予約データを取得する（ステップ３１８）。ここで、ポータブル端末２の端末制御部２１１は外部インタフェース２１２を介して予約データ要求を受け取ると予約テーブル２０３に登録されている予約データを全て読み出して、外部インタフェース２１２を介して車載システム１に送信する。
【００２０】
次に、ポータブル端末２より予約データを取得したならば、取得した予約データのうちの、登録されている時間帯の終了時刻がナビゲーション装置１０４から取得した目的地到着予想時刻より前である予約データを全て、図２ｂに示すような代行予約データとして代行予約テーブル１０３に登録する（ステップ３１０）。但し、既に代行予約テーブル１０３に登録されている代行予約データと同一内容の予約データは、代行予約データとして代行予約テーブル１０３に登録しない。
【００２１】
ここで、車載システム１のＴＶ録画再生処理部１０２は、代行予約テーブル１０３に登録されている、いずれかの代行予約データに登録された時間帯の開始時刻となったならば、当該代行予約データを代行録画制御データとした上で、当該代行予約データを代行予約テーブル１０３から削除し、当該代行録画制御データに登録されている時間帯の終了時刻まで、当該代行録画制御データに登録されたチャネルが表すＴＶ放送チャネルをＴＶチューナ１０１に受信させると共に、ＴＶチューナ１０１で受信したＴＶ放送の動画データを、適当な管理データ（録画時間帯や録画チャネル等のデータ）を付加した形態で記憶装置１０５に記録し、記録が完了したならば、当該代行録画制御データを破棄すると共に、録画完了を制御部１１０に通知する処理を行う。
【００２２】
一方、制御部１１０は、ナビゲーション装置１０４で算出されている目的地到着予想時刻の変化の発生（ステップ３１２）と、ＴＶ録画再生処理部１０２からの録画完了通知の発生（ステップ３１４）と、端末インタフェース１１１とポータブル端末２との接続の解除の発生を監視する（ステップ３１６）。
【００２３】
そして、ナビゲーション装置１０４で算出されている目的地到着予想時刻の変化が発生したならば（ステップ３１２）、代行予約テーブル１０３を更新する（ステップ３２４）。この更新では、ステップ３０８でポータブル端末２より取得した予約データのうちの、登録されている時間帯の終了時刻が、変化後の目的地到着予想時刻より前である予約データであって、代行予約テーブル１０３に代行予約データとして既に登録されていない予約データを代行予約データとして代行予約テーブル１０３に登録する。また、代行予約テーブル１０３に登録されている代行予約データのうちの、登録されている時間帯の終了時刻が、変化後の目的地到着予想時刻より後である代行予約データを代行予約テーブル１０３から削除する。
【００２４】
一方、ＴＶ録画再生処理部１０２からの録画完了通知が発生した場合には（ステップ３１４）、当該録画が完了した動画データを、記憶装置１０５から読み出して、端末インタフェース１１１を介してポータブル端末２に、必要に応じて動画データの解像度の変更などを行った上で転送し（ステップ３２６）、転送した動画データを記憶装置１０５から削除し（ステップ３２８）、ステップ３１２、３１４、３１６の監視に戻る。
【００２５】
ここで、ポータブル端末２の端末制御部２１１は、車載システム１から動画データが転送されたならば、これを記憶部２０５に格納する。また、ポータブル端末２の端末制御部２１１は、車載システム１から転送された動画データを記憶部２０５に格納したときに、格納した動画データと同じ時間帯、同じＴＶ放送チャネルの、録画再生部３０２が録画した動画データが記憶部２０５に既に記録されている場合には、この既に記録されている動画データを記憶部２０５から削除する。
【００２６】
一方、ポータブル端末２との接続の解除が発生した場合には（ステップ３１６）、現在代行録画制御データに従った録画中であれば（ステップ３１８）、録画を中止して、代行録画制御データを破棄し、録画中であった録画データを記憶装置１０５から削除した上で（ステップ３２０）、代行予約テーブル１０３に登録されている全ての代行予約データを消去し（ステップ３２２）、ステップ３０２の監視に戻る。また、ポータブル端末２との接続の解除が発生した場合に（ステップ３１６）、現在代行録画制御データに従った録画中でない場合には（ステップ３１８）、代行録画制御データと代行予約テーブル１０３に登録されている全ての代行予約データを消去し（ステップ３２２）、ステップ３０２の監視に戻る。
【００２７】
以上、録画代行処理について説明した。
ここで、このような録画代行処理の処理例を図４に示す。
いま、200x年xx月yy日の12時16分においてポータブル端末２が車載システム１に接続されたものとする。
そして、この時点において、ポータブル端末２に、14:00-15:00の#03チャネルのＴＶ放送録画の予約と、16:30-17:30の#12チャネルのＴＶ放送録画の予約との二つの予約が登録されているものとする。
また、この時点において、車載システム１のナビゲーション装置１０４は経路誘導中であって、目的地到着予想時刻として17:12分が算出されているものとする。また、この後、ポータブル端末２は、１２時１６分において車載システム１に接続された後、17時10分に自動車が目的地に到着して、ユーザによって車載システム１との接続が解除されるまで、車載システム１に接続され続けたものとする。
【００２８】
この場合、車載システム１は、ポータブル端末２が接続された時点で、ポータブル端末２に登録されている二つの予約を読み出し、二つの予約のうちの、録画終了時刻が目的地到着予想時刻より前の、14:00-15:00の#03チャネルのＴＶ放送録画の予約のみを代行予約として登録する。
そして、車載システム１において、登録した代行予約（14:00-15:00、#03チャネル）の録画開始時刻から録画終了時刻まで、当該#03チャネルのＴＶ放送の録画が行われ、当該録画が完了したならば、録画が完了した動画データがポータブル端末２に転送され、ポータブル端末２の記憶部２０５に格納される。
【００２９】
したがって、この場合、17:10の車載システム１との接続解除時に、ポータブル端末２の記憶部２０５には、車載システム１のＴＶチューナ１０１を用いて安定的に録画した14:00-15:00、#03チャネルのＴＶ放送の動画データが記録されていることになる。また、さらに、17:30の時点となると、ポータブル端末２の記憶部２０５には、ポータブル端末２自身で録画した16:30-17:30、#12チャネルのＴＶ放送の動画データが記録されていることになる。よって、本車載システム１によれば、ポータブル端末２のＴＶ放送の録画予約に従った録画が、録画予約された番組の録画が途中で終了することのない形態で、良好に行われるように効率的に支援することができる。
以上、本発明の実施形態について説明した。
ところで、以上の実施形態における録画代行処理は、図５に示すように行うようにしてもよい。
【００３０】
すなわち、この場合には、制御部１１０は、端末インタフェース１１１へのポータブル端末２の接続の有無を監視し（ステップ５０２）、ポータブル端末２が接続されているか、もしくは、ポータブル端末２が接続されたならば、ポータブル端末２の予約テーブル２０３に登録されている予約データを取得する（ステップ５０４）。
そして、取得した予約データの全てを、代行予約データとして代行予約テーブル１０３に登録する（ステップ５０６）。但し、既に代行予約テーブル１０３に登録されている代行予約データと同一内容の予約データは、代行予約データとして代行予約テーブル１０３に登録しない。
【００３１】
そして、ＴＶ録画再生処理部１０２からの録画完了通知の発生（ステップ５０８）と、端末インタフェース１１１とポータブル端末２との接続の解除の発生を監視し（ステップ５１０）、ＴＶ録画再生処理部１０２からの録画完了通知が発生したならば（ステップ５０８）、当該録画が完了した動画データを、記憶装置１０５から読み出して、端末インタフェース１１１を介してポータブル端末２に転送した上で（ステップ５１８）、当該動画データを記憶装置１０５から削除し（ステップ５２０）、ステップ５０８、５１０の監視に戻る。
【００３２】
ここで、ポータブル端末２の端末制御部２１１は、車載システム１から動画データが転送されたならば、これを記憶部２０５に格納する。
一方、ポータブル端末２との接続の解除が発生した場合には（ステップ５１０）、現在代行録画制御データに従った録画中であれば（ステップ５１２）、録画を中止して、代行録画制御データを破棄し、録画中であった録画データを記憶装置１０５から削除した上で（ステップ５１４）、代行予約テーブル１０３に登録されている全ての代行予約データを消去し（ステップ５１６）、ステップ５０２の監視に戻る。また、ポータブル端末２との接続の解除が発生した場合に（ステップ５１０）、現在代行録画制御データに従った録画中でない場合には（ステップ５１２）、代行予約テーブル１０３に登録されている全ての代行予約データを消去し（ステップ５１６）、ステップ５０２の監視に戻る。
【００３３】
ここで、図５に示した録画代行処理の処理例を図６ａに示す。
いま、200x年xx月yy日の１２時１６分においてポータブル端末２が車載システム１に接続されたものとする。
そして、この時点において、ポータブル端末２に、14:00-15:00の#03チャネルのＴＶ放送録画の予約と、16:30-17:30の#12チャネルのＴＶ放送録画の予約との二つの予約が登録されているものとする。
また、この後、ポータブル端末２は、12時16分において車載システム１に接続された後、17時12分に自動車が目的地に到着して、ユーザによって車載システム１との接続が解除されるまで、車載システム１に接続され続けたものとする。
このよう場合、車載システム１は、接続された時点においてポータブル端末２に登録されている二つの予約を読み出し、二つの予約の双方を代行予約として登録する。
そして、車載システム１において、登録した一つ目の代行予約（14:00-15:00、#03チャネル）の録画開始時刻から録画終了時刻まで、当該#03チャネルのＴＶ放送の録画が行われ、当該録画が完了したならば、録画が完了した動画データがポータブル端末２に転送され、ポータブル端末２の記憶部２０５に格納される。
【００３４】
一方、登録した二つ目の代行予約（16:30-17:30、#12チャネル）の録画開始時刻となったならば、車載システム１において、当該#12チャネルのＴＶ放送の録画が開始されるが、録画終了時刻前の、17時12分にポータブル端末２の接続が解除されるために、当該録画は17時12分で中止され、録画した動画データのポータブル端末２への転送も行われない。
【００３５】
結果、この場合、17:12の車載システム１との接続解除時に、ポータブル端末２の記憶部２０５には、車載システム１のＴＶチューナ１０１を用いて安定的に録画した14:00-15:00、#03チャネルのＴＶ放送の動画データが記録されることになる。また、さらに、17:30の時点となると、ポータブル端末２の記憶部２０５には、ポータブル端末２自身で録画した16:30-17:30、#12チャネルのＴＶ放送の動画データが記録されることになる。よって、このようにしても、ポータブル端末２のＴＶ放送の録画予約に従った録画が、録画予約された番組の録画が途中で終了することのない形態で、良好に行われるように支援することができる。
【００３６】
ところで、以上の実施形態における録画代行処理では、車載システム１に接続されたポータブル端末２に登録されている、時間帯が重複している予約データが存在している場合にのみ、当該予約を代行予約データとして予約管理テーブルに登録するようにしてもよい。
【００３７】
すなわち、たとえば、図５の録画代行処理において、図６ｂに示すように、14:00-15:00、#03チャネルの予約と、14:30-15:30、#05チャネルの予約との時間帯が一部重複する予約データがポータブル端末２に登録されている場合には、これらいずれか一方のみを予約データ（図６ｂでは14:00-15:00、#03チャネルの予約の予約データ）を代行予約データとして代行予約テーブル１０３に登録し、他の予約データは代行予約データとして代行予約テーブル１０３に登録しない。なお、ここでは、より録画終了時刻が早い方の予約データを、代行予約データとして代行予約テーブル１０３に登録することが好ましい。また、時間帯が一部重複する予約データがポータブル端末２に登録されてない場合には、一切の予約データを代行予約データとして代行予約テーブル１０３に登録しない。
【００３８】
そして、録画代行処理において、代行予約データとして登録した予約データと重なる時間帯については、ポータブル端末２において、代行予約データとして登録した予約データの録画は行わず、それ以外の予約データに従った録画を行うように、ポータブル端末２を制御するようにする。
なお、図３の代行録画処理においても同様であり、録画終了時刻が目的地到着予想時刻以前の時間帯の予約データのうちの、時間帯が一部重複する予約データが存在する場合には、これら時間帯が一部重複する予約データのうちのいずれか一方の予約データを代行予約データとして代行予約テーブル１０３に登録し、他の予約データは代行予約データとして代行予約テーブル１０３に登録しない。また、録画終了時刻が目的地到着予想時刻以前の時間帯の予約データのうちに、時間帯が一部重複する予約データがポータブル端末２に登録されてない場合には、一切の予約データを代行予約データとして代行予約テーブル１０３に登録しない。そして、録画代行処理において、代行予約データとして登録した予約データと重なる時間帯については、ポータブル端末２において、代行予約データとして登録した予約データの録画は行わず、それ以外の予約データに従った録画を行うように、ポータブル端末２を制御するようにする。
【００３９】
このようにすることにより、ポータブル端末に録画時間帯が重複している予約データが設定されている場合には、その一部の予約データに従った録画を車載システムにおいて代行して行うので、このような録画時間帯が重複している録画予約についても、できるだけ各録画予約に従った録画が行えるようになる。
なお、以上の実施形態ではポータブル端末２が移動電話機であるものとして示したが、当該ポータブル端末２は、ＴＶ放送受信機能と予約録画機能を備えたものであれば、ポータブルＴＶやポータブルミュージックプレイヤやＰＤＡなどの任意の装置であってもよい。
【図面の簡単な説明】
【００４０】
【図１】本発明の実施形態に係る車載システムの構成を示すブロック図である。
【図２】本発明の実施形態に係る予約テーブルと代行予約テーブルを示す図である。
【図３】本発明の実施形態に係る録画代行処理を示すフローチャートである。
【図４】本発明の実施形態に係る録画代行処理の処理例を示す図である。
【図５】本発明の実施形態に係る録画代行処理の他の構成例をフローチャートである。
【図６】本発明の実施形態に係る録画代行処理の他の構成例による処理例を示す図である。
【符号の説明】
【００４１】
１…車載システム、２…ポータブル端末、１０１…ＴＶチューナ、１０２…ＴＶ録画再生処理部、１０３…代行予約テーブル、１０４…ナビゲーション装置、１０５…記憶装置、１０６…表示装置、１０７…スピーカ、１０８…入力装置、１０９…入出力制御部、１１０…制御部、１１１…端末インタフェース、２０１…内蔵ＴＶチューナ、２０２…録画再生部、２０３…予約テーブル、２０４…電話機能部、２０５…記憶部、２０６…表示部、２０７…内蔵スピーカ、２０８…入力部、２０９…マイク、２１０…入出力処理部、２１１…端末制御部、２１２…外部インタフェース。
【図１】
2009207038.tif 000003
【図２】
2009207038.tif 000004
【図３】
2009207038.tif 000005
【図４】
2009207038.tif 000006
【図５】
2009207038.tif 000007
【図６】
2009207038.tif 000008